(57)【要約】【課題】着脱が容易な球払出装置取付構造、及び、そのような球払出装置取付構造を用いた遊技機を提供すること。【解決手段】遊技球を数えるためのカウンター２２が内部に収納され、遊技球を受け入れる入口部２３と遊技球を送出する出口部３０とが開口された球払出装置２を、ベース部材１に取付けるための球払出装置取付構造であって、ベース部材１に、球払出装置２が載置される載置部１１を設け、球払出装置２の左右の側部３２ａ、３２ｂに、爪部３４ａ、３４ｂを設け、ベース部材１に、爪部３４ａ、３４ｂが係止される係止部１２ａ、１２ｂを設ける。【選択図】　図１
2004081237.tif 000002
【特許請求の範囲】
【請求項１】
遊技球を数えるためのカウンターが内部に収納され、遊技球を受け入れる入口部と遊技球を送出する出口部とが開口された球払出装置を、ベース部材に取付けるための球払出装置取付構造であって、
前記ベース部材に、前記球払出装置が載置される載置部を設け、
前記球払出装置の左右の側部に、爪部を設け、
前記ベース部材に、前記爪部が係止される係止部を設けたことを特徴とする球払出装置取付構造。
【請求項２】
前記球払出装置の下端部に、第１の差込部を設け、
前記載置部に、前記第１の差込部が差し込まれ、または、前記第１の差込部に差し込まれる第１の差込対応部を設けたことを特徴とする請求項１記載の球払出装置取付構造。
【請求項３】
前記球払出装置の上端部に、第２の差込部を設け、
前記球払出装置に遊技球を供給する上部通路部材の前記球払出装置直上に配置される部位の下端部に、前記第２の差込部が差し込まれ、または、前記第２の差込部に差し込まれる第２の差込対応部を設けたことを特徴とする請求項１または２記載の球払出装置取付構造。
【請求項４】
請求項１、２、または、３記載の球払出装置取付構造を用いたことを特徴とする遊技機。
【発明の詳細な説明】
【０００１】
【発明の属する技術分野】
本発明は、遊技球のカウンターが内部に収納された球払出装置を遊技機等に取付ける際の取付構造に関し、特に着脱容易な球払出装置の取付構造に関する。
【０００２】
【従来の技術】
従来から、パチンコ遊技機や貸し球機等には、払い出される遊技球の数を数えるためのカウンターが設けられている。このカウンターは、遊技球の通過を検出する払出球計数スイッチ、遊技球を１個ずつ保持して払出球計数スイッチの設置部位を通過させる払出ローター、払出ローターを回転させるための払出モーター等から構成されている。そして、これら払出球計数スイッチ、払出ローター、払出モーター等からなるカウンターは球払出装置内に収納されており、球払出装置はパチンコ遊技機等のベース部材にビスで取り付けられている。
【０００３】
【発明が解決しようとする課題】
しかし、上記従来の球払出装置の取付構造では、球払出装置をビスで取り付けているため、着脱が容易でないという問題があった。特に、カウンターは修理や交換が必要となることが多く、その度に、ビスを取り外したりねじ込んだりする必要が生じていた。
【０００４】
また、遊技球は、球払出装置の上方に配置される上部通路部材から球払出装置内に送り込まれるが、球払出装置の取付位置の位置決めが容易でないため、上部通路部材の遊技球の出口位置と球払出装置の遊技球の入口位置とがずれてしまうことがあり、球詰まり等が発生してしまうという問題もあった。
【０００５】
この発明は、上述した問題を解決するものであり、着脱が容易な球払出装置取付構造、及び、そのような球払出装置取付構造を用いた遊技機を提供することを目的とする。また、位置決めが容易であり、通路ずれを防止可能な球払出装置取付構造、及び、そのような球払出装置取付構造を用いた遊技機を提供することを目的とする。
【０００６】
【課題を解決するための手段】
本発明の球払出装置取付構造は、遊技球を数えるためのカウンターが内部に収納され、遊技球を受け入れる入口部と遊技球を送出する出口部とが開口された球払出装置を、ベース部材に取付けるためのものであって、前記ベース部材に、前記球払出装置が載置される載置部を設け、前記球払出装置の左右の側部に、爪部を設け、前記ベース部材に、前記爪部が係止される係止部を設けたことを特徴とする。
【０００７】
ここで、前記球払出装置の下端部に、第１の差込部を設け、前記載置部に、前記第１の差込部が差し込まれ、または、前記第１の差込部に差し込まれる第１の差込対応部を設けることが好ましい。
【０００８】
また、前記球払出装置の上端部に、第２の差込部を設け、前記球払出装置に遊技球を供給する上部通路部材の前記球払出装置直上に配置される部位の下端部に、前記第２の差込部が差し込まれ、または、前記第２の差込部に差し込まれる第２の差込対応部を設けることが好ましい。
【０００９】
本発明の遊技機は、上記いずれかの球払出装置取付構造を用いたことを特徴とする。
【００１０】
【発明の実施の形態】
以下、本発明の一実施形態を図面に基づいて説明する。
【００１１】
図１は、パチンコ遊技機に用いられる球払出装置２の斜視図であり、図２は球払出装置２の正面図、図３は球払出装置２の底面図、図４は球払出装置２内部を省略した図２のＩＶ−ＩＶ部位断面図である。球払出装置２は合成樹脂製で、下部が膨らんだ略箱体状に形成され、内部には、上部に通路部２１が形成され、下部にカウンター２２が収納されている。
【００１２】
通路部２１は左右２つの蛇行状の通路を有しており、球払出装置２の上端部２０には、それら左右の通路の入口となる入口部２３ａ、２３ｂが開口している。これら入口部２３ａ、２３ｂについて一括して言及するときは、入口部２３と言うものとする。
【００１３】
カウンター２２は、遊技球の通過を検出する払出球計数スイッチ２４、遊技球を１個ずつ保持して払出球計数スイッチ２４の設置部位を通過させる払出ローター２５、払出ローター２５を回転させるための払出モーター２６、原点スイッチ基板２７等から構成されている。
【００１４】
そして、通路部２１の左の通路は入口部２３ａから払出ローター２５までを連通し、右の通路は入口部２３ｂから払出ローター２５までを連通している。払出ローター２５は、これら左右の通路から交互に１個ずつ遊技球を受取って、払出球計数スイッチ２４の設置部位を通過させるように構成されている。
【００１５】
球払出装置２の下端部３１には、図３に示すように、前部に、通路部２１からカウンター２２を経ずに遊技球が送出される球抜き用の出口部３０ａ、３０ｂが開口し、後部に、通路部２１からカウンター２２を経た遊技球が送出される払出用の出口部３０ｃ、３０ｄが開口している。これら球抜き用の出口部３０ａ、３０ｂ、払出用の出口部３０ｃ、３０ｄについて一括して言及するときは、出口部３０と言うものとする。また、下端部３１には、球抜き用の出口部３０ａ、３０ｂの前方に、底面視において略矩形状で、上方に凹む第１の差込部である凹部２９が設けられている。
【００１６】
球払出装置２の上部には、前端から後方に向かって凹む凹部３３が形成されており、凹部３３の後壁部の左右からそれぞれ前方に突出する爪部３４ａ、３４ｂが形成されている。爪部３４ａ、３４ｂは弾性を有しており、中央部に、横断面が略コ字形状をなすように球払出装置２の外方に向かって屈曲された押圧部３５ａ、３５ｂが形成され、先端部３６ａ、３６ｂは、球払出装置２の外方に向かって若干折り曲げられている。凹部３３の後壁部の中央からは、図４に示すように、横断面が略Ｔ字形状の突出部３７が突設されて、爪部３４ａ、３４ｂの間に配置されている。この突出部３７は、押圧部３５ａ、３５ｂを球払出装置２の内側方向に押圧したときに、爪部３４ａ、３４ｂを受け止めて、爪部３４ａ、３４ｂが折れるのを防止している。
【００１７】
球払出装置２の上端部２０には、左右方向における略中央位置に、上方に突出する第２の差込部である差込凸部２８が形成されている。差込凸部２８は、前後に長く左右に薄い壁状をなしており、前部２８ａは、上端が前方に向かって徐々に下降するように傾斜が付けられている。
【００１８】
図５は、球払出装置２が取り付けられるパチンコ遊技機のベース部材１の斜視図であり、図６はベース部材１の球払出装置２取付部位の拡大図である。
【００１９】
ベース部材１は合成樹脂製で略矩形状に形成され、後方に突出する枠体１４が中央部に形成され、枠体１４で囲まれた部分は、遊技盤を配置するため開口されている。ベース部材１の後面の背面視において枠体１４の右横に当たる部位（この部位が球払出装置２の取付部位となる。）には、上部に係止部１２ａ、１２ｂが、左右に所定間隔を開けて後方に突出するように形成され、下部に載置部１１が後方に突出するように形成されている。係止部１２ａ、１２ｂの形成位置は、載置部１１に球払出装置２の下端部３１を載置したときに爪部３４ａ、３４ｂの位置に対応するように定められている。
【００２０】
係止部１２ａ、１２ｂは、図６に示すように、上下方向に長く前後方向に短い略矩形状に形成され、互いに対向する内側部に凹部１３ａ、１３ｂが形成され、内側部後端の角部１６ａ、１６ｂは斜面状とされている。また、枠体１４の係止部１２ｂに隣接する部位には、開口部１５が形成されている。
【００２１】
載置部１１は、図６に示すように、略水平の板状に形成され、後部には、上方に突出する凸部１１ａ、１１ｂが、左右方向に間隔を開けて並設されている。凸部１１ａ、１１ｂは、第１の差込対応部であり、第１の差込部である凹部２９に差込可能なように、高さが凹部２９の深さに略一致し、前後方向の幅が凹部２９の前後方向の幅に略一致し、左の凸部１１ａの左側部から右の凸部１１ｂの右側部までの幅が、凹部２９の左右方向の幅に略一致するように形成されている。なお、凸部１１ａ、１１ｂの上面は、後方に向かって下降するように傾斜が付けられている。
【００２２】
図７は、球払出装置２に遊技球を供給する上部通路部材であるタンクレール４の斜視図である。タンクレール４の球払出装置２直上に配置される部位４１には、下端部４２に、上方に凹む差込凹部４３が形成されている。差込凹部４３は、第２の差込対応部であり、下端部４２の前端から後端までスリット状に形成されて、第２の差込部である差込凸部２８を差込凹部４３の後方から差込み可能に構成されている。また、下端部４２には、球払出装置２に遊技球を供給するための２つの遊技球出口（図示せず）が形成されており、差込凸部２８を差込凹部４３に差し込んだとき、それらの２つの遊技球出口の位置が球払出装置２の入口部２３ａ、２３ｂの位置に一致するように、差込凹部４３の形成部位が定められている。
【００２３】
以上のように構成された球払出装置２をベース部材１に取り付ける場合について、次に説明する。
【００２４】
図８に示すように、まず、ベース部材１の最上部に遊技球を入れるタンク８を取り付け、タンク８の下にタンクレール４を取り付ける。また、ベース部材１の球払出装置２取付部位の下に、球払出装置２から送出された遊技球を受け入れる下部通路部材５を取り付ける。
【００２５】
次に、球払出装置２の下端部３１の凹部２９に、凸部１１ａ、１１ｂを差し込むようにして、球払出装置２を載置部１１上に載置する。このとき、上述したように凸部１１ａ、１１ｂの上面には傾斜が付けられているので、球払出装置２上端を後方へ少し傾けた状態から凹部２９に凸部１１ａ、１１ｂを差し込むことができ、差込み容易である。
【００２６】
そして、差込凸部２８を差込凹部４３に後方から差し込む。このとき、上述したように差込凸部２８の前部２８ａには傾斜が付けられているので、球払出装置２上端を後方へ少し傾けた状態から差込凸部２８を差込凹部４３に差し込むことができ、差込み容易である。
【００２７】
すると、爪部３４ａ、３４ｂが係止部１２ａ、１２ｂの直後に配置されるので、この状態で更に球払出装置２をベース部材１方向に押すと、爪部３４ａ、３４ｂが、係止部１２ａ、１２ｂの内側部後端の角部１６ａ、１６ｂの斜面に沿って、球払出装置２の内側方向に縮むように弾性変形する。そして、先端部３６ａ、３６ｂが凹部３３ａ、３３ｂに入り込んで、爪部３４ａ、３４ｂは復元し、係止部１２ａ、１２ｂに係止される。また、押圧部３５ａ、３５ｂは係止部１２ａ、１２ｂの後方に配置され、押圧部３５ｂは開口部１５の形成部位に配置される。このように球払出装置２をベース部材１に取り付けた状態の要部拡大図を図９に示す。
【００２８】
なお、下部通路部材５の下部には払出制御ボックス６を後方から取り付け、払出制御ボックス６の横には電源基板ケース７を取り付ける。
【００２９】
このように、凸部１１ａ、１１ｂを凹部２９に差し込むことにより、球払出装置２のベース部材１に対する前後及び左右方向の位置が決まり、球払出装置２を載置部１１に載置することにより、球払出装置２の上下方向の位置が決まる。また、差込凸部２８を差込凹部４３に差し込むことにより、球払出装置２のタンクレール４に対する左右方向の位置が決まる。そして、爪部３４ａ、３４ｂを係止部１２ａ、１２ｂに係止することにより、その決められた位置で球払出装置２がベース部材１に固定されることとなる。すなわち、球払出装置２が上下、左右、前後ともに適正な位置に取り付けられることとなり、球払出装置２の入口部２３の位置が、タンクレール４の遊技球出口の位置に一致することとなる。
【００３０】
次に、球払出装置２をベース部材１から取り外す場合には、押圧部３５ａ、３５ｂを球払出装置２の内側方向に押圧して、爪部３４ａ、３４ｂを弾性変形させ、先端部３６ａ、３６ｂを係止部１２ａ、１２ｂから抜脱する。これにより、容易に球払出装置２がベース部材１から取り外される。なお、球払出装置２のベース部材１への取付状態において、押圧部３５ｂは開口部１５の形成部位に配置されるので、枠体１４の内側から開口部１５を介して押圧部３５ｂを押圧することができる。
【００３１】
以上のように、球払出装置２においては、爪部３４ａ、３４ｂを係止部１２ａ、１２ｂに係止し、また、係止部１２ａ、１２ｂから抜脱するだけで、球払出装置２を着脱できるので、着脱容易である。また、球払出装置２を載置部１１に載置することにより、ベース部材１に対する球払出装置２の上下方向の位置を、容易かつ適正に位置決めすることができる。
【００３２】
また、球払出装置２の下端部３１に設けられた凹部２９に、載置部１１に設けられた凸部１１ａ、１１ｂを差し込むことにより、ベース部材１に対する球払出装置２の前後及び左右方向の位置を、容易かつ適正に位置決めすることができる。
【００３３】
また、球払出装置２の上端部２０に設けられた差込凸部２８を、タンクレール４に設けられた差込凹部４３に差込むことにより、タンクレール４に対する球払出装置２の左右方向の位置を、容易かつ適正に位置決めすることができ、球払出装置２とタンクレール４との通路ずれを防止することができる。
【００３４】
なお、爪部３４ａ、３４ｂ及び係止部１２ａ、１２ｂの形状、凸部１１ａ、１１ｂ及び凹部２９の形状、差込凸部２８及び差込凹部４３の形状等は、適宜変更可能である。例えば、上記実施形態では、第１の差込部（凹部２９）を凹状とし、第１の差込対応部（凸部１１ａ、１１ｂ）を第１の差込部に差し込まれる凸状としたが、逆に、第１の差込部を凸状とし、第１の差込対応部を第１の差込部が差し込まれる凹状としてもよい。また、上記実施形態では、第２の差込部（差込凸部２８）を凸状とし、第２の差込対応部（差込凹部４３）を第２の差込部が差し込まれる凹状としたが、逆に、第２の差込部を凹状とし、第２の差込対応部を第２の差込部に差し込まれる凸状としてもよい。すなわち、特許請求の範囲を逸脱しない範囲で、本発明は種々の形態を採りうる。
【００３５】
【発明の効果】
本発明によれば、爪部を係止部に係止し、また、係止部から抜脱するだけで、球払出装置をベース部材に着脱できるので、球払出装置の着脱が容易である。また、球払出装置を載置部に載置することにより、ベース部材に対する球払出装置の上下方向の位置を、容易に位置決めすることができる。
【００３６】
また、第１の差込部に第１の差込対応部を差し込み、あるいは、第１の差込部を第１の差込対応部に差し込むことにより、ベース部材に対する球払出装置の位置決めが容易となる。
【００３７】
また、第２の差込部に第２の差込対応部を差し込み、あるいは、第２の差込部を第２の差込対応部に差し込むことにより、上部通路部材に対する球払出装置の位置決めが容易となり、通路ずれを防止することができる。
【図面の簡単な説明】
【図１】本発明の一実施形態における球払出装置の斜視図である。
【図２】図１の球払出装置の正面図である。
【図３】図１の球払出装置の底面図である。
【図４】球払出装置２内部を省略した図２のＩＶ−ＩＶ部位断面図である。
【図５】図１の球払出装置が取り付けられるパチンコ遊技機のベース部材の斜視図である。
【図６】図５のベース部材の球払出装置取付部位の拡大図である。
【図７】図１の球払出装置に遊技球を供給するタンクレールの斜視図である。
【図８】タンクレールや球払出装置等を取り付けた状態のベース部材の背面図である。
【図９】図８の要部拡大図である。
【符号の説明】
１　ベース部材
２　球払出装置
４　タンクレール（上部通路部材）
１１　載置部
１１ａ、１１ｂ　凸部（第１の差込対応部）
１２ａ、１２ｂ　係止部
２０　上端部
２２　カウンター
２３ａ、２３ｂ　入口部
２８　差込凸部（第２の差込部）
２９　凹部（第１の差込部）
３０ａ、３０ｂ、３０ｃ、３０ｄ　出口部
３１　下端部
３２ａ、３２ｂ　側部
３４ａ、３４ｂ　爪部
４２　下端部
４３　差込凹部（第２の差込対応部）
【図１】
2004081237.tif 000003
【図２】
2004081237.tif 000004
【図３】
2004081237.tif 000005
【図４】
2004081237.tif 000006
【図５】
2004081237.tif 000007
【図６】
2004081237.tif 000008
【図７】
2004081237.tif 000009
【図８】
2004081237.tif 000010
【図９】
2004081237.tif 000011